(57)【要約】【課題】第１に、入浴者が安定的に姿勢保持可能であると共に、第２に、半身浴も容易に可能であり、第３に、しかもこれらが、１台でそのまま兼用使用される、浴槽用の仕切台板を提案する。【解決手段】この仕切台板４は、浴槽１内に必要に応じ付設されて、入浴者Ａの腰掛用や、足突っ張り姿勢受けのための足当用として使用され、腰掛部７，足当部８，前部足９，後部足１０を、備えている。腰掛部７は、座板１１を備え浴槽１の左右壁５間に配される。足当部８は、当板１２を備え腰掛部７前部から垂下設されており、左右端部１３が、浴槽１の左右壁５に対向設された縦溝１４に嵌入，係止される。前部足９は、例えば足当部８の左右端部１３の下部が兼用され、縦溝１４の底面１７上に載置，保持される。後部足１０は、腰掛部７下に配設されて、浴槽１底壁６上に載置，保持される。【選択図】図１
2008079661.tif 000002
【特許請求の範囲】
【請求項１】
浴槽内に必要に応じ付設され、もって入浴者の腰掛用や、足突っ張り姿勢のための足当用として使用される、仕切台板であって、腰掛部，足当部，前部足，後部足を、備えており、
該腰掛部は、横に略フラットな座板を備え、浴槽左右壁間に配されており、又、該足当部は、縦に略フラットな当板を備え、該腰掛部の前部から垂下設されており、その左右端部が、浴槽左右壁に対向設された縦溝にそれぞれ嵌入，係止され、
該前部足は、該足当部の左右端部の下部がそれぞれ兼用されており、もって浴槽左右壁の該縦溝の底面上に載置，保持され、又、後部足は、該腰掛部下に配設されており、もって浴槽底壁上に載置，保持されること、を特徴とする浴槽用の仕切台板。
【請求項２】
請求項１に記載した浴槽用の仕切台板において、請求項１では、該前部足は、該足当部の左右端部の下部がそれぞれ兼用されていたが、これによらず、
該前部足は、該足当部の左右端部より内側に付設されており、もって浴槽底壁上に載置，保持されること、を特徴とする浴槽用の仕切台板。
【発明の詳細な説明】
【技術分野】
【０００１】
本発明は、浴槽用の仕切台板に関する。すなわち、浴槽内に付設され、入浴者の腰掛用や、足突っ張り姿勢のための足当用として使用される、浴槽用の仕切台板に関する。
【背景技術】
【０００２】
《従来技術》
通常の一般的な浴槽は、汎用性に鑑み、一定の前後寸法，左右寸法，深さ寸法等を備えている。すなわち、例えば家庭用，個人用の浴槽は（特殊な専用施設，浴場用の浴槽とは異なり）、一般的，標準的な入浴者の体格，身体状況，能力，入浴スタイル等を目安に、汎用的にその寸法，大きさ，形状等が設計されている。
これに対し、入浴者の体格，身体状況，能力，入浴スタイルは、様々である。例えば、大柄な人・小柄な人，大人・年少者，若者壮年者・高齢者，健常者・身障者等により様々であり、入浴スタイルも、全身浴もあれば半身浴もある。
【発明の開示】
【発明が解決しようとする課題】
【０００３】
ところで、このような従来例については、次の問題が指摘されていた。図５は、この種従来例の説明に供し、各入浴例の側断面説明図であり、（１）図は第１例を、（２）図は第２例を、（３）図は第３例を、（４）図は第４例を示す。
《第１の問題点》
第１に、特に入浴者Ａが小柄な人，年少者，高齢者，身障者等の場合、リラックス感が得られず、滑って溺れる危険さえあった。
すなわち、小柄な人，その他の上述した入浴者Ａが全身浴する場合、浴槽１の前後寸法が長過ぎて、足突っ張り姿勢を保ちにくかった。図５の（１）図に示したように、浴槽１の前後壁２に足Ｂが届かず、前後壁２を、身体を支える受け用，足当用として使用することが困難であり、姿勢保持が容易でなかった。
もって、上述した入浴者Ａにとっては、体力的にきついケースが多く、体力負担が大きく、不安感もある等、リラックスして入浴できない、という問題が指摘されていた。更に、図５の（２）図に示したように、足突っ張り姿勢を保てない上述した入浴者Ａが、平滑な浴槽１内壁面で滑って、溺れる危険もある等、安全面にも問題が指摘されていた。
【０００４】
《第２の問題点》
第２に、入浴者Ａが半身浴をする場合、椅子３を用意したり、お湯Ｃの量を調節する必要があった。
すなわち、前述した小柄な人等に限らず一般的に、入浴者Ａが浴槽１内で半身浴をしたい場合は、図５の（３）図に示したように、半身浴用の椅子３を別途準備しておいて、浴槽１内に持ち込んだり、又は、図５の（４）図に示したように、お湯Ｃの量をわざわざその為だけに少なく調整する必要があり、面倒で煩わしく手間がかかる、という問題が指摘されていた。
【０００５】
《本発明について》
本発明の浴槽用の仕切台板は、このような実情に鑑み、上記従来例の課題を解決すべくなされたものである。
そして本発明は、第１に、入浴者が安定的に姿勢保持可能であると共に、第２に、半身浴も容易に可能であり、第３に、しかもこれらが、１台でそのまま兼用使用可能である、浴槽用の仕切台板を提案することを、目的とする。
【課題を解決するための手段】
【０００６】
《請求項について》
このような課題を解決する本発明の技術的手段は、次のとおりである。まず、請求項１については次のとおり。
すなわち、請求項１の浴槽用の仕切台板は、浴槽内に必要に応じ付設され、もって、入浴者の腰掛用や、足突っ張り姿勢のための足当用として使用される。そして、腰掛部，足当部，前部足，後部足を、備えている。
該腰掛部は、横に略フラットな座板を備え、浴槽左右壁間に配される。該足当部は、縦に略フラットな当板を備え、該腰掛部の前部から垂下設されており、その左右端部が、浴槽左右壁に対向設された縦溝にそれぞれ嵌入，係止される。
該前部足は、該足当部の左右端部の下部がそれぞれ兼用されており、もって浴槽左右壁の該縦溝の底面上に載置，保持される。後部足は、該腰掛部下に配設されており、もって浴槽底壁上に載置，保持されること、を特徴とする。
次に、請求項２については次のとおり。すなわち、請求項２の浴槽用の仕切台板では、請求項１において、該前部足は、該足当部の左右端部の下部がそれぞれ兼用されていたが、これによらず、該前部足は、該足当部の左右端部より内側に付設されており、もって浴槽底壁上に載置，保持されること、を特徴とする。
【０００７】
《作用等について》
本発明は、このような手段よりなるので、次のようになる。
（１）この仕切台板は、腰掛部，足当部，前部足，後部足等を備えている。
（２）そして必要に応じ、浴槽内にセットされる。すなわち、入浴者の足当用や腰掛け用として使用される場合に、浴槽内に付設される。
（３）仕切台板の浴槽内へのセットは、足当部の当板の左右端部を、浴槽左右壁の縦溝間に嵌入，係止すること、により行われる。
（４）さて、この仕切台板は、第１に、小柄な人，年少者，高齢者，身障者等が入浴する場合、その姿勢保持用に使用される。これらの入浴者は、仕切台板の足当部の当板に、足を当てることにより、安定的に姿勢保持可能となる。
（５）この場合の仕切台板は、その足当部の当板が、浴槽前後壁に足が届かない入浴者の足突っ張り姿勢用の足当として、機能する。
（６）これらに対し、入浴者が大柄な人，その他の一般人の場合は、仕切台板は、取外し除去される。この入浴者は、浴槽前後壁に足を当てることにより、姿勢保持する。
（７）この仕切台板は、第２に、入浴者の半身浴用の腰掛として、使用される。
（８）この場合の仕切台板は、前部足と後部足が、浴槽底壁上や左右壁の縦溝底面上に載置，保持されているので、腰掛部の座板が、入浴者の腰掛用として機能する。
（９）この仕切台板は、第３に、１台で、上記第１の足当用として、かつ上記第２の腰掛用として、使用可能である。しかも、このような兼用使用の為に何らの操作を要することなく、そのままの状態で、いずれかの用途に使用可能である。
（１０）さてそこで、本発明の浴槽用の仕切台板は、次の効果を発揮する。
【発明の効果】
【０００８】
《第１の効果》
第１に、入浴者が安定的に姿勢保持可能となる。すなわち、この仕切台板は、例えば小柄な人，年少者，高齢者，身障者等が入浴する場合は、足当部の当板に足を当てることにより、容易に姿勢保持可能となる。
前述したこの種従来例のように、前後壁に足が届かず、身体を支える受けや足当に難儀する事態は解消され、容易に足突っ張り姿勢を保つことができるようになる。
もって、上記入浴者は、この仕切台板により、体力的負担が軽減され、不安感もなく楽な姿勢を取ることができる等、リラックスして入浴できるようになる。更に、足突っ張り姿勢を保持できるので、入浴者が、平滑な浴槽内壁面で滑ったり溺れる危険も解消される等、安全面にも優れている。
【０００９】
《第２の効果》
第２に、半身浴も容易に可能となる。すなわち、この仕切台板は、浴槽底壁上等に載置，保持されており、入浴者は、その腰掛部の座板に腰掛けることにより、容易に半身浴をすることができるようになる。
前述したこの種従来例のように、半身浴用に専用椅子を別途準備したり、わざわざ半身浴のためにお湯の量を少なく調整したりする必要もなく、面倒さ，煩わしさ，手間が解消され、簡単容易に半身浴を楽しむことができる。
【００１０】
《第３の効果》
第３に、しかもこれらは、１台でそのまま兼用使用可能である。すなわち、この仕切台板は、１台で、足突っ張り姿勢のための足当用と、半身浴のための腰掛け用とに、兼用使用することができる。
しかも、何らの操作を要することなく、そのままの状態で、いずれかの用途に供することができる等、利便性に優れている。
このように、この種従来例に存した課題がすべて解決される等、本発明の発揮する効果は、顕著にして大なるものがある。
【発明を実施するための最良の形態】
【００１１】
《図面について》
以下、本発明の浴槽用の仕切台板を、図面に示した発明を実施するための最良の形態に基づいて、詳細に説明する。
図１，図２，図３，図４は、本発明を実施するための最良の形態の説明に供する。そして、図１の（１）図は、足当用としての使用例の説明に供する側断面図、（２）図は、腰掛用としての使用例の説明に供する側断面図である。
図２の（１）図は、全体の斜視図であり、（２）図は、要部の側断面図である。図３の（１）図は、浴槽の斜視図、（２）図は、浴槽要部の斜視図であり、（３）図は、仕切台板の上方視斜視図、（４）図は、仕切台板の下方視斜視図である。図４は、仕切台板の他の例の下方視斜視図である。
【００１２】
《仕切台板４の概要について》
まず、仕切台板４の概要について説明する。この仕切台板４は、浴槽１内に必要に応じ付設され、もって入浴者Ａの腰掛用や、入浴者Ａの足突っ張り姿勢のための足当用として使用される。
まず、この仕切台板４の使用対象となる浴槽１は、通常の一般的，汎用的なものであり、例えば家庭用，個人用として、その前後長さ寸法，左右幅寸法，上下深さ寸法等が設定されている。
つまり、一般的，標準的な体格，身体状況，能力の入浴者Ａを目安に、仰向けの仰臥姿勢で、肩まで十分にお湯Ｃに浸かって入浴できる、寸法，大きさ，形状等に設定されている。具体的には、例えば図３の（１）図等に示したように、大柄な人，大人，若者壮年者，健常者等が全身浴するに適した長方形の略箱状をなし、前後壁２，左右壁５，底壁６等を備えている。
仕切台板４は、このような浴槽１内に着脱自在となっており、必要に応じ浴槽１内に付設されるが、不必要時は取外し，除去される。もって不使用時に、邪魔となったり，目障りとなったり、違和感を感じたりすることはない。
そして仕切台板４は、例えば樹脂製よりなり、図１や図２の（１）図に示したように、浴槽１内の前部や後部に付設される。そして、図３の（３）図，（４）図等に示したように、上部の腰掛部７と、前部の足当部８と、前部下の前部足９と、後部下の後部足１０とを、備えている。
以下、これらについて更に詳述する。
【００１３】
《腰掛部７について》
まず、この仕切台板４の腰掛部７について説明する。腰掛部７は、横に略フラットな座板１１を備えており、浴槽１の左右壁５間に配される。
このような腰掛部７について、更に詳述する。腰掛部７の座板１１としては、図３の（３）図，（４）図等に示したように、ムクの一枚板状のものの外、メッシュ状のもの、横桟状のもの、縦桟状のもの、中央穴が存するもの、その他各種形状のものが使用される。このような座板１１が、水平又は若干の水落ち用傾斜を伴いつつ、横に略フラットに配されている。
座板１１の広さは、入浴者Ａが腰掛けるに足るスペースよりなる。具体的には、左右横幅が、浴槽１の左右壁５間の距離寸法より僅かに小さく、前後長さが、浴槽１の前部や後部に納まる寸法よりなる。
腰掛部７は、このようになっている。
【００１４】
《足当部８について》
次に、この仕切台板４の足当部８について説明する。足当部８は、縦に略フラットな当板１２を備え、腰掛部７の前部から垂下設されており、その左右端部１３が、浴槽１の左右壁５に対向設された縦溝１４にそれぞれ嵌入，係止される。
このような足当部８について、更に詳述する。足当部８の当板１２は、図３の（３）図，（４）図等に示した例では、腰掛部７の座板１１と一体形成されており、座板１１の前部縁から垂下設されている。勿論これによらず、座板１１に対し取付け固定される構成としてもよく、又、若干の傾斜を伴って垂下設されてもよい。図示１５は取手穴、１６は補強リブである。
【００１５】
さて、足当部８の左右端部１３、図示例では当板１２の左右端部１３は、浴槽１の左右壁５の縦溝１４に嵌入，係止可能となっている。そこで当板１２は、左右横幅が左右端部１３の分だけ、前述した腰掛部７の座板１１より大きく設定されている。
そして、図３の（１）図，（２）図等に示したように、浴槽１の左右壁５には、それぞれ左右対向位置して、縦溝１４が形成されている。
図示例の縦溝１４は、３本１セットで上下平行に前後方向に向け列設形成されると共に、左右壁５の前端部と後端部について、それぞれ１セットずつの２セット形成されている。しかし、このような図示例によらず、１本又はその他の複数本を、１セットとして形成してもよく、又、左右壁５の前端部又は後端部のいずれかのみに、１セット形成するようにしてもよい。
又、図示例の縦溝１４は、左右壁５の上端より若干下位から、左右壁５の下端より若干上位迄の間に形成されている。もって縦溝１４の底面１７は、浴槽１の底壁６面より若干上位に位置しているが、このような図示例によらず、底面１７が底壁６面と面一となるように形成してもよい。
そして、図２の（１）図，（２）図に示したように、このような左右壁５の縦溝１４に対し、図示例では左右それぞれ３本の縦溝１４のいずれか各１本に対し、足当部８の左右端部１３が、それぞれ上方から嵌入されて、前後方向に係止される。つまり左右端部１３は、縦溝１４に見合った断面形状よりなると共に、縦溝１４の下部に嵌入，係止可能な高さ寸法よりなる。
なお、図示例の左右端部１３は、当板１２の左右に一体設されると共に、当板１２より肉厚が厚く形成されているが、勿論、同じ肉厚であってもよい。
足当部８は、このようになっている。
【００１６】
《前部足９について》
次に、この仕切台板４の前部足９について、説明する。まず、図１〜図３に示した例について述べる。この例において、前部足９は、足当部８の左右端部１３の下部が、それぞれ兼用使用されており、もって浴槽１の左右壁５の縦溝１４の底面１７上に、載置，保持される。
すなわち、この前部足９は、左右２個用いられると共に、前述した足当部８の左右端部１３の下部が兼用されており、この左右端部１３の下部は、図示例ではゴム製部材付として構成されている。なお、このような図示例によらず、ゴム製部材を用いることなく、左右端部１３の下部を、そのまま直接、前部足９として構成してもよい。
そして、このような前部足９が、左右壁５の縦溝１４の底面１７上に、載置されて保持されている。もって図示例の前部足９は、後部足１０より若干高位に位置している。
【００１７】
図４に示した例について述べる。上述したように、図１〜図３中に示した前部足９は、足当部８の左右端部１３の下部がそれぞれ兼用されていたが、これによらず、図４中に示したように、前部足９は、足当部８の左右端部１３より内側に付設され、もって浴槽１の底壁６上に載置，保持されるように構成してもよい。
すなわち、この前部足９は、左右２個用いられると共に、足当部８の当板１２の左右端部１３に隣接した内側下に付設されており、図示例ではゴム製部材として構成されている。もって、縦溝１４に嵌入される当板１２の左右端部１３とは異なり、浴槽１の底壁６上に載置されて保持される。
なお、この図４に示した例の前部足９については、更に、次の各種の変化例が可能である。例えば、ゴム製部材を用いず、一体物として当板１２下に垂下設される構成としてもよい。又、当板１２とは別部材として構成すると共に、当板１２下に垂下設すべく、ピンや接合にて当板１２の前後に取付けるようにしてもよい。
更に、前部足９の位置や個数等については、図４に示したように当板１２の左右下２個の例以外にも、当板１２中央下に１個の例や、当板１２の中央下と左右下の計３個の例や、当板１２の中央部左右下に２個の例や、当板１２の下部全体を下側に湾曲突出させて前部足９とする例、等々も考えられる。
前部足９は、このようになっている。
【００１８】
《後部足１０について》
次に、この仕切台板４の後部足１０について、説明する。後部足１０は、腰掛部７下に配設されており、もって浴槽１の底壁６上に載置，保持される。
このような後部足１０について、更に詳述する。図３の（３）図，（４）図，図４等に示したように、後部足１０は、腰掛部７の座板１１の後部下に配設され、もって、浴槽１の底壁６上に載置されて保持される。図示例の後部足１０は、左右２個用いられると共に、ブラケット１８を介して、座板１１下に取付け固定されたゴム製部材にて構成されている。
ところで、このようにゴム製部材を使用した場合は、その弾力性により平滑な浴槽１底壁６等の損傷が防止されると共に、その摩擦力により仕切台板４の滑りが防止される（この点については、前述した前部足９についてゴム製部材を採用した場合についても、同様）。
なお、後部足１０の位置，個数，その他の構成は、図示例に限定されるものではなく、その他各種の例が可能である。例えば、前部足９との兼合いもあるが、中央１個の例や、中央と左右で計３個の例も考えられる。
後部足１０は、このようになっている。
【００１９】
《作用等》
本発明の浴槽１用の仕切台板４は、以上説明したように構成されている。そこで、以下のようになる。
（１）この仕切台板４は、上部の座板１１付の腰掛部７と、前部の当板１２付の足当部８と、前部下の前部足９と、後部下の後部足１０と、から構成されている（図３の（３）図，（４）図，図４等を参照）。
【００２０】
（２）そして仕切台板４は、必要に応じ浴槽１内にセットされる。すなわち、入浴者Ａの足突っ張り姿勢のための足当用として使用される場合や、入浴者Ａの半身浴のための腰掛け用として使用される場合に、浴槽１内の前部や後部に付設される（図２の（１）図を参照）。
【００２１】
（３）このような仕切台板４の浴槽１内への付設，セットは、足当部８の当板１２の左右端部１３を、浴槽１の左右壁５の縦溝１４間に、嵌入，係止することにより行われる。図示例では、左右にそれぞれ列設された縦溝１４のいずれか間に、嵌入，係止することにより行われる（図２の（１）図，（２）図を参照）。
【００２２】
（４）さてそこで、この仕切台板４は、まず第１に、例えば小柄な人，年少者，高齢者，身障者等が入浴する場合、その姿勢保持用に使用される（図１の（１）図を参照）。
すなわち、これらの入浴者Ａは、浴槽１内での仰臥姿勢での全身浴に際し、浴槽１内にセットされた仕切台板４の足当部８の当板１２に、足Ｂを当てることにより、つまり足Ｂの指先や足裏を当てて突っ張ることにより、容易に身体を支えることができる。安定的に姿勢を保持することができる。
【００２３】
（５）この場合、左右端部１３が浴槽１の左右壁５の縦溝１４に係止されている仕切台板４は、その足当部８の当板１２が、浴槽１の前後壁２に足が届かない入浴者Ａにとって、足突っ張り姿勢受けのための足当用として、機能する。
つまり、入浴者Ａの足Ｂ側から作用する前後荷重は、当板１２を介して分力化されると共に、当板１２の左右端部１３を通じて浴槽１側の縦溝１４における反力にて支えられる。
【００２４】
（６）なお図示例では、複数本の縦溝１４が、浴槽１の左右壁５に列設されている（図３の（１）図，（２）図を参照）。
そこで、入浴者Ａである小柄な人，年少者，高齢者，身障者等について、個々の具体的な体格，身体状況，能力等を勘案し、各縦溝１４の中から適切な１本を選択して、そこに仕切台板４の当板１２の左右端部１３を、嵌入，係止するようにする（図２の（１）図，（２）図を参照）。
このように、足Ｂを突っ張る当板１２の前後位置を可変としたことにより、その入浴者Ａに最も適した足突っ張り姿勢（例えば、足Ｂの長さ程度，短さ程度に対応した足突っ張り姿勢）を、提供可能となる。
ところで、これらに対し入浴者Ａが、大柄な人，大人，若者壮年者，健常者等の一般人の場合は、その好みや必要に応じ、仕切台板４は、取外し除去されるか最初から使用されない（図３の（１）図を参照）。この場合の入浴者Ａは、浴槽１の前後壁２に足Ｂを当てることにより、安定的に姿勢保持することになる。
【００２５】
（７）次に第２に、この仕切台板４は、入浴者Ａの半身浴のための腰掛用として、使用可能である（図１の（２）図を参照）。
前述したように入浴者Ａの足突っ張り姿勢のための足当用として使用される仕切台板４は、更に、半身浴用としても使用される。この場合の入浴者Ａは、前述した小柄な人，年少者，その他に限定されるものではなく、大柄な人，大人，その他の一般人も勿論、その対象となる。
【００２６】
（８）この場合、仕切台板４は、その前部足９と後部足１０が、浴槽１の底壁６上や左右壁５の縦溝１４の底面１７上に載置，保持されているので、腰掛部７の座板１１が、入浴者Ａの腰掛用として機能する。
入浴者Ａは、このような仕切台板４の腰掛部７の座板１１に腰掛けることにより、容易に半身浴可能となる。入浴者Ａからの上下荷重は、座板１１を介し、浴槽１側の底壁６や底面１７にて保持される。
【００２７】
（９）第３に、このようにこの仕切台板４は、１台で、前述した第１の入浴者Ａの足突っ張り姿勢のための足当用として使用可能であると共に、前述した第２の入浴者Ａの半身浴のための腰掛用として、使用可能である。
しかも、この仕切台板４は、このような兼用使用の為に何らかの操作を要することなく、セットされたそのままの状態で、入浴者Ａの選択に従い、遂次いずれかの用途に使用可能である。
【図面の簡単な説明】
【００２８】
【図１】本発明に係る浴槽用の仕切台板について、発明を実施するための最良の形態の説明に供し、（１）図は、足当用としての使用例の説明に供する側断面図であり、（２）図は、腰掛用としての使用例の説明に供する側断面図である。
【図２】同発明を実施するための最良の形態の説明に供し、（１）図は、全体の斜視図であり、（２）図は、要部の側断面図である。
【図３】同発明を実施するための最良の形態の説明に供し、（１）図は、浴槽の斜視図、（２）図は、浴槽要部の斜視図であり、（３）図は、仕切台板の上方視斜視図、（４）図は、仕切台板の下方視斜視図である。
【図４】同発明を実施するための最良の形態の説明に供し、仕切台板の他の例の下方視斜視図である。
【図５】この種従来例の説明に供し、各入浴例の側断面説明図である。そして（１）図は、第１例を、（２）図は、第２例を、（３）図は、第３例を、（４）図は、第４例を示す。
【符号の説明】
【００２９】
１  浴槽
２  前後壁
３  椅子
４  仕切台板
５  左右壁
６  底壁
７  腰掛部
８  足当部
９  前部足
１０  後部足
１１  座板
１２  当板
１３  左右端部
１４  縦溝
１５  取手穴
１６  補強リブ
１７  底面
１８  ブラケット
Ａ  入浴者
Ｂ  足
Ｃ  お湯
【図１】
2008079661.tif 000003
【図２】
2008079661.tif 000004
【図３】
2008079661.tif 000005
【図４】
2008079661.tif 000006
【図５】
2008079661.tif 000007